(57)【要約】【課題】高効率なマルチレベル電力変換装置を実現する。【解決手段】インバータ回路は、直流電圧をもとに擬似正弦波を生成する。駆動回路は、インバータ回路に含まれる複数のスイッチング素子を駆動する。制御回路は、駆動回路に制御信号を供給する。インバータ回路は、複数のフライングキャパシタ回路を含み、５レベル以上の電位をそれぞれ２点から出力可能なマルチレベル出力部と、マルチレベル出力部の２点間に流れる電流の向きを制御する極性切替部を含む。極性切替部に含まれる各スイッチ部（Ｑ１７−Ｑ２４）は、複数のスイッチング素子が並列化されて構成されている。マルチレベル出力部に含まれる各スイッチ部（Ｑ１−Ｑ１６）は、１つのスイッチング素子、又は極性切替部に含まれる各スイッチ部（Ｑ１７−Ｑ２４）を構成するスイッチング素子の並列数より少ない並列数のスイッチング素子で構成されている。【選択図】図１３
2020137135.tif 000002
【特許請求の範囲】
【請求項１】
直流電圧をもとに擬似正弦波を生成するインバータ回路と、
前記インバータ回路に含まれる複数のスイッチング素子を駆動する駆動回路と、
前記駆動回路に制御信号を供給する制御回路と、を備え、
前記インバータ回路は、
複数のフライングキャパシタ回路を含み、５レベル以上の電位をそれぞれ２点から出力可能なマルチレベル出力部と、
前記マルチレベル出力部の２点間に流れる電流の向きを制御する極性切替部と、を含み、
前記極性切替部に含まれる各スイッチ部は、複数のスイッチング素子が並列化されて構成されており、
前記マルチレベル出力部に含まれる各スイッチ部は、１つのスイッチング素子、又は前記極性切替部に含まれる各スイッチ部を構成するスイッチング素子の並列数より少ない並列数のスイッチング素子で構成されていることを特徴とする電力変換装置。
【請求項２】
本電力変換装置の出力電流または出力電力を計測する計測部をさらに備え、
前記マルチレベル出力部に含まれる各スイッチ部は、前記極性切替部に含まれる各スイッチ部を構成するスイッチング素子の並列数より少ない並列数のスイッチング素子で構成されており、
前記制御回路は、前記計測部により計測された出力電流または出力電力に応じて、前記マルチレベル出力部に含まれる各スイッチ部の導通時に、導通させるスイッチング素子の数を変更し、
前記制御回路は、前記極性切替部に含まれる各スイッチ部の導通時に、並列化されているスイッチング素子の全てを導通させることを特徴とする請求項１に記載の電力変換装置。
【請求項３】
直流電圧をもとに擬似正弦波を生成するインバータ回路と、
前記インバータ回路に含まれる複数のスイッチング素子を駆動する駆動回路と、
前記駆動回路に制御信号を供給する制御回路と、
本電力変換装置の出力電流または出力電力を計測する計測部と、を備え、
前記インバータ回路は、
複数のフライングキャパシタ回路を含み、５レベル以上の電位をそれぞれ２点から出力可能なマルチレベル出力部と、
前記マルチレベル出力部の２点間に流れる電流の向きを制御する極性切替部と、を含み、
前記マルチレベル出力部および前記極性切替部に含まれる各スイッチ部は、複数のスイッチング素子が並列化されて構成されており、
前記制御回路は、前記計測部により計測された出力電流または出力電力に応じて、各スイッチ部の導通時に、導通させるスイッチング素子の数を変更することを特徴とする電力変換装置。
【請求項４】
前記制御回路は、前記計測部により計測された出力電流または出力電力が大きいほど、各スイッチ部の導通時に、導通させるスイッチング素子の数を増やすことを特徴とする請求項３に記載の電力変換装置。
【請求項５】
前記制御回路は、前記計測部により計測された出力電流または出力電力に応じて、前記マルチレベル出力部に含まれる各スイッチ部の導通時に、導通させるスイッチング素子の数を変更し、
前記制御回路は、前記極性切替部に含まれる各スイッチ部の導通時に、並列化されているスイッチング素子の全てを導通させることを特徴とする請求項４に記載の電力変換装置。
【請求項６】
前記マルチレベル出力部は、
直列に接続される第１スイッチ部、第２スイッチ部、第３スイッチ部及び第４スイッチ部と、前記第１スイッチ部と前記第２スイッチ部の接続点と前記第３スイッチ部と前記第４スイッチ部の接続点との間に接続された第１フライングキャパシタを有する第１フライングキャパシタ回路と、
直列に接続される第５スイッチ部、第６スイッチ部、第７スイッチ部及び第８スイッチ部と、前記第５スイッチ部と前記第６スイッチ部の接続点と前記第７スイッチ部と前記第８スイッチ部の接続点との間に接続された第２フライングキャパシタを有する第２フライングキャパシタ回路と、
直列に接続される第９スイッチ部、第１０スイッチ部、第１１スイッチ部及び第１２スイッチ部と、前記第９スイッチ部と前記第１０スイッチ部の接続点と前記第１１スイッチ部と前記第１２スイッチ部の接続点との間に接続された第３フライングキャパシタを有する第３フライングキャパシタ回路と、
直列に接続される第１３スイッチ部、第１４スイッチ部、第１５スイッチ部及び第１６スイッチ部と、前記第１３スイッチ部と前記第１４スイッチ部の接続点と前記第１５スイッチ部と前記第１６スイッチ部の接続点との間に接続された第４フライングキャパシタを有する第４フライングキャパシタ回路と、を含み、
前記極性切替部は、
前記第１フライングキャパシタ回路の中点と前記第２フライングキャパシタ回路の中点との間に直列に接続される第１７スイッチ部、第１８スイッチ部、第１９スイッチ部及び第２０スイッチ部を有し、前記第１８スイッチ部と前記第１９スイッチ部との間の接続点が、系統電源／交流負荷に接続された交流経路の一端に接続される第１出力回路と、
前記第３フライングキャパシタ回路の中点と前記第４フライングキャパシタ回路の中点との間に直列に接続される第２０スイッチ部、第２１スイッチ部、第２２スイッチ部及び第２３スイッチ部を有し、前記第２１スイッチ部と前記第２２スイッチ部との間の接続点が、前記交流経路の他端に接続される第２出力回路と、を含み、
前記第１フライングキャパシタ回路及び前記第２フライングキャパシタ回路は直流電源の両端間に直列に接続され、
前記第３フライングキャパシタ回路及び前記第４フライングキャパシタ回路は前記直流電源の両端間に直列に接続され、
前記第１フライングキャパシタ回路と前記第２フライングキャパシタ回路との接続点と、前記第３フライングキャパシタ回路と前記第４フライングキャパシタ回路との接続点との間が中間配線で接続されることを特徴とする請求項１から５のいずれか１項に記載の電力変換装置。
【発明の詳細な説明】
【技術分野】
【０００１】
本発明は、直流電力を交流電力に変換する電力変換装置に関する。
【背景技術】
【０００２】
太陽電池、蓄電池、燃料電池などに接続されるパワーコンディショナは、高効率な電力変換と小型設計が望まれる。それを実現する電力変換装置の１つに、フライングキャパシタを用いたマルチレベル電力変換装置がある。マルチレベル電力変換装置では多くのスイッチング素子が使用されるが、スイッチング素子としてＭＯＳＦＥＴ（Metal-Oxide-Semiconductor Field-Effect Transistor)が使用されることが一般的である。
【０００３】
マルチレベル電力変換装置の高効率化のためには、スイッチング素子の導通損失を減らすことが有効である。スイッチング素子の導通損失を減らす方法として、スイッチング素子を並列化して、オン抵抗を下げる方法がある（例えば、特許文献１参照）。
【先行技術文献】
【特許文献】
【０００４】
【特許文献１】特開平８−２５１９４０号公報
【発明の概要】
【発明が解決しようとする課題】
【０００５】
しかしながら、スイッチング素子を並列化すると、スイッチング素子の数が増大し、スイッチング素子を駆動する駆動回路の電力損失が大きくなる。特に、高速動作するスイッチング素子の駆動回路の電力損失が大きくなる。またマルチレベル電力変換装置の低出力時には、駆動回路の電力損失の影響が相対的に大きくなる。
【０００６】
本発明はこうした状況に鑑みなされたものであり、その目的は、高効率なマルチレベル電力変換装置を提供することにある。
【課題を解決するための手段】
【０００７】
上記課題を解決するために、本発明のある態様の電力変換装置は、直流電圧をもとに擬似正弦波を生成するインバータ回路と、前記インバータ回路に含まれる複数のスイッチング素子を駆動する駆動回路と、前記駆動回路に制御信号を供給する制御回路と、を備える。前記インバータ回路は、複数のフライングキャパシタ回路を含み、５レベル以上の電位をそれぞれ２点から出力可能なマルチレベル出力部と、前記マルチレベル出力部の２点間に流れる電流の向きを制御する極性切替部と、を含む。前記極性切替部に含まれる各スイッチ部は、複数のスイッチング素子が並列化されて構成されており、前記マルチレベル出力部に含まれる各スイッチ部は、１つのスイッチング素子、又は前記極性切替部に含まれる各スイッチ部を構成するスイッチング素子の並列数より少ない並列数のスイッチング素子で構成されている。
【発明の効果】
【０００８】
本発明によれば、高効率なマルチレベル電力変換装置を実現することができる。
【図面の簡単な説明】
【０００９】
【図１】本発明の実施の形態に係る電力変換装置の基本構成を説明するための図である。
【図２】５レベル（＋Ｅ、＋１／２Ｅ、０、−１／２Ｅ、−Ｅ）の電圧で生成される擬似正弦波を示す図である。
【図３】実施の形態に係る電力変換装置における第１スイッチング素子Ｑ１−第２４スイッチング素子Ｑ２４のスイッチングパターンをまとめた図である。
【図４】図４（ａ）−（ｄ）は、図３に示すスイッチングパターンの正の半周期のスイッチングパターンを示す回路図である。
【図５】図５（ａ）−（ｄ）は、図３に示すスイッチングパターンの負の半周期のスイッチングパターンを示す回路図である。
【図６】実施の形態に係る電力変換装置の第１構成例を説明するための図である。
【図７】図６の電力変換装置で使用される駆動回路の一例を説明するための図である。
【図８】電力変換装置の出力電力が５５００Ｗのときの電力変換装置の電力損失のシミュレーション結果を示す図である。
【図９】電力変換装置の出力電力が２７５０Ｗのときの電力変換装置の電力損失のシミュレーション結果を示す図である。
【図１０】電力変換装置の出力電力が１１００Ｗのときの電力変換装置の電力損失のシミュレーション結果を示す図である。
【図１１】ある電力変換装置における出力電力と、並列数と、変換効率の関係を示した図である。
【図１２】実施の形態に係る電力変換装置の第１構成例における制御回路の並列数切替処理の動作を示すフローチャートである。
【図１３】図１３（ａ）、（ｂ）は、実施の形態に係る電力変換装置の第２構成例を説明するための図である。
【発明を実施するための形態】
【００１０】
図１は、本発明の実施の形態に係る電力変換装置１の基本構成を説明するための図である。電力変換装置１は、直流電源２から供給される直流電力を交流電力に変換し、変換した交流電力を商用電力系統（以下、単に系統３という）又は交流負荷に出力する。直流電源２は例えば、分散型電源（太陽電池、蓄電池、燃料電池など）と、当該分散型電源の出力を制御可能なＤＣ／ＤＣコンバータにより構成される。当該ＤＣ／ＤＣコンバータと電力変換装置１との間は、直流バスで接続される。なお直流電源２は、分散型電源とＤＣ／ＤＣコンバータの組が複数、並列接続されて構成されていてもよい。
【００１１】
電力変換装置１は、インバータ回路１０、フィルタ回路２０、制御回路３０、駆動回路４０、電流計測部５１及び電圧計測部５２を備える。インバータ回路１０は、直流電源２から供給される直流電圧をもとに、マルチレベル（本実施の形態では５レベル）の電圧を有する疑似正弦波を生成する。インバータ回路１０は、複数のフライングキャパシタ回路を含み、５レベル以上の電位を出力可能なマルチレベル出力部と、マルチレベル出力部の２点間に流れる電流の向きを制御する極性切替部を有する。図１に示す例では、マルチレベル出力部は、第１フライングキャパシタ回路１１、第２フライングキャパシタ回路１２、第３フライングキャパシタ回路１３及び第４フライングキャパシタ回路１４を含む。極性切替部は、第１出力回路１５及び第２出力回路１６を含む。
【００１２】
第１フライングキャパシタ回路１１及び第２フライングキャパシタ回路１２は直流電源２の両端間に直列に接続される。第３フライングキャパシタ回路１３及び第４フライングキャパシタ回路１４は直流電源２の両端間に直列に接続される。第１フライングキャパシタ回路１１と第２フライングキャパシタ回路１２との接続点と、第３フライングキャパシタ回路１３と第４フライングキャパシタ回路１４との接続点との間が中間配線で接続される。
【００１３】
第１フライングキャパシタ回路１１は、第１スイッチング素子Ｑ１、第２スイッチング素子Ｑ２、第３スイッチング素子Ｑ３、第４スイッチング素子Ｑ４及び第１フライングキャパシタＣ１を含む。第１スイッチング素子Ｑ１、第２スイッチング素子Ｑ２、第３スイッチング素子Ｑ３及び第４スイッチング素子Ｑ４は直列に接続され、直流電源２の正側バスと中間配線の間に接続される。第１フライングキャパシタＣ１は、第１スイッチング素子Ｑ１と第２スイッチング素子Ｑ２との接続点と、第３スイッチング素子Ｑ３と第４スイッチング素子Ｑ４との接続点との間に接続され、第１スイッチング素子Ｑ１−第４スイッチング素子Ｑ４により充放電される。
【００１４】
第２フライングキャパシタ回路１２は、第５スイッチング素子Ｑ５、第６スイッチング素子Ｑ６、第７スイッチング素子Ｑ７、第８スイッチング素子Ｑ８及び第２フライングキャパシタＣ２を含む。第５スイッチング素子Ｑ５、第６スイッチング素子Ｑ６、第７スイッチング素子Ｑ７及び第８スイッチング素子Ｑ８は直列に接続され、中間配線と、直流電源２の負側バスの間に接続される。第２フライングキャパシタＣ２は、第５スイッチング素子Ｑ５と第６スイッチング素子Ｑ６との接続点と、第７スイッチング素子Ｑ７と第８スイッチング素子Ｑ８との接続点との間に接続され、第５スイッチング素子Ｑ５−第８スイッチング素子Ｑ８により充放電される。
【００１５】
第３フライングキャパシタ回路１３は、第９スイッチング素子Ｑ９、第１０スイッチング素子Ｑ１０、第１１スイッチング素子Ｑ１１、第１２スイッチング素子Ｑ１２及び第３フライングキャパシタＣ３を含む。第９スイッチング素子Ｑ９、第１０スイッチング素子Ｑ１０、第１１スイッチング素子Ｑ１１及び第１２スイッチング素子Ｑ１２は直列に接続され、直流電源２の正側バスと中間配線の間に接続される。第３フライングキャパシタＣ３は、第９スイッチング素子Ｑ９と第１０スイッチング素子Ｑ１０との接続点と、第１１スイッチング素子Ｑ１１と第１２スイッチング素子Ｑ１２との接続点との間に接続され、第９スイッチング素子Ｑ９−第１２スイッチング素子Ｑ１２により充放電される。
【００１６】
第４フライングキャパシタ回路１４は、第１３スイッチング素子Ｑ１３、第１４スイッチング素子Ｑ１４、第１５スイッチング素子Ｑ１５、第１６スイッチング素子Ｑ１６及び第４フライングキャパシタＣ４を含む。第１３スイッチング素子Ｑ１３、第１４スイッチング素子Ｑ１４、第１５スイッチング素子Ｑ１５及び第１６スイッチング素子Ｑ１６は直列に接続され、中間配線と直流電源２の負側バスの間に接続される。第４フライングキャパシタＣ４は、第１３スイッチング素子Ｑ１３と第１４スイッチング素子Ｑ１４との接続点と、第１５スイッチング素子Ｑ１５と第１６スイッチング素子Ｑ１６との接続点との間に接続され、第１３スイッチング素子Ｑ１３−第１６スイッチング素子Ｑ１６により充放電される。
【００１７】
第１出力回路１５は、第１フライングキャパシタ回路１１の中点（具体的には、第２スイッチング素子Ｑ２と第３スイッチング素子Ｑ３との接続点）と、第２フライングキャパシタ回路１２の中点（具体的には、第６スイッチング素子Ｑ６と第７スイッチング素子Ｑ７との接続点）との間に接続される。第１出力回路１５は、直列に接続された第１７スイッチング素子Ｑ１７、第１８スイッチング素子Ｑ１８、第１９スイッチング素子Ｑ１９及び第２０スイッチング素子Ｑ２０を含む。第１出力回路１５の中点（具体的には、第１８スイッチング素子Ｑ１８と第１９スイッチング素子Ｑ１９との接続点）は、フィルタ回路２０を介して、系統３／交流負荷に接続された交流経路の一端に接続される。
【００１８】
第２出力回路１６は、第３フライングキャパシタ回路１３の中点（具体的には、第１０スイッチング素子Ｑ１０と第１１スイッチング素子Ｑ１１との接続点）と、第４フライングキャパシタ回路１４の中点（具体的には、第１４スイッチング素子Ｑ１４と第１５スイッチング素子Ｑ１５との接続点）との間に接続される。第２出力回路１６は、直列に接続された第２１スイッチング素子Ｑ２１、第２２スイッチング素子Ｑ２２、第２３スイッチング素子Ｑ２３及び第２４スイッチング素子Ｑ２４を含む。第２出力回路１６の中点（具体的には、第２２スイッチング素子Ｑ２２と第２３スイッチング素子Ｑ２３との接続点）は、フィルタ回路２０を介して上記交流経路の他端に接続される。
【００１９】
直流電源２の正側バスと負側バスの間に、第１分割コンデンサＣ５及び第２分割コンデンサＣ６が直列に接続される。具体的には、正側バスと中間配線の間に第１分割コンデンサＣ５が接続され、中間配線と負側バスの間に第２分割コンデンサＣ６が接続される。第１分割コンデンサＣ５及び第２分割コンデンサＣ６は、直流電源２の電圧Ｅを１／２に分圧する作用、インバータ回路１０内で発生するサージ電圧を抑制するためのスナバコンデンサとしての作用を有する。
【００２０】
第１フライングキャパシタ回路１１の中点からは、第１スイッチング素子Ｑ１の上側端子に印加されるＥ［Ｖ］と、第４スイッチング素子Ｑ４の下側端子に印加される１／２Ｅ［Ｖ］の間の範囲の電位が出力される。第１フライングキャパシタＣ１は１／４Ｅ［Ｖ］の電圧になるように初期充電（プリチャージ）され、１／４Ｅ［Ｖ］の電圧を中心として充放電が繰り返される。従って、第１フライングキャパシタ回路１１からは、概ね、Ｅ［Ｖ］、３／４Ｅ［Ｖ］、１／２Ｅ［Ｖ］の３レベルの電位が出力される。
【００２１】
第２フライングキャパシタ回路１２の中点からは、第５スイッチング素子Ｑ５の上側端子に印加される１／２Ｅ［Ｖ］と、第８スイッチング素子Ｑ８の下側端子に印加される０［Ｖ］の間の範囲の電位が出力される。第２フライングキャパシタＣ２は１／４Ｅ［Ｖ］の電圧になるように初期充電され、１／４Ｅ［Ｖ］の電圧を中心として充放電が繰り返される。従って、第２フライングキャパシタ回路１２からは、概ね、１／２Ｅ［Ｖ］、１／４Ｅ［Ｖ］、０［Ｖ］の３レベルの電位が出力される。
【００２２】
第３フライングキャパシタ回路１３の中点からは、第９スイッチング素子Ｑ９の上側端子に印加されるＥ［Ｖ］と、第１２スイッチング素子Ｑ１２の下側端子に印加される１／２Ｅ［Ｖ］の間の範囲の電位が出力される。第３フライングキャパシタＣ３は１／４Ｅ［Ｖ］の電圧になるように初期充電され、１／４Ｅ［Ｖ］の電圧を中心として充放電が繰り返される。従って、第３フライングキャパシタ回路１３からは、概ね、Ｅ［Ｖ］、３／４Ｅ［Ｖ］、１／２Ｅ［Ｖ］の３レベルの電位が出力される。
【００２３】
第４フライングキャパシタ回路１４の中点からは、第１３スイッチング素子Ｑ１３の上側端子に印加される１／２Ｅ［Ｖ］と、第１６スイッチング素子Ｑ１６の下側端子に印加される０［Ｖ］の間の範囲の電位が出力される。第４フライングキャパシタＣ４は１／４Ｅ［Ｖ］の電圧になるように初期充電され、１／４Ｅ［Ｖ］の電圧を中心として充放電が繰り返される。従って、第４フライングキャパシタ回路１４からは、概ね、１／２Ｅ［Ｖ］、１／４Ｅ［Ｖ］、０［Ｖ］の３レベルの電位が出力される。
【００２４】
上記の第１スイッチング素子Ｑ１−第２４スイッチング素子Ｑ２４にはそれぞれ、第１ダイオードＤ１−第２４ダイオードＤ２４が逆並列に形成／接続される。以下、本実施の形態では第１スイッチング素子Ｑ１−第２４スイッチング素子Ｑ２４に、高速動作が可能で安価なＮチャネルＭＯＳＦＥＴを使用する例を想定する。ＮチャネルＭＯＳＦＥＴでは、ソースからドレイン方向に寄生ダイオードが形成される。
【００２５】
なお、第１スイッチング素子Ｑ１−第２４スイッチング素子Ｑ２４にＩＧＢＴ（Insulated Gate Bipolar Transistor）やバイポーラトランジスタを使用してもよい。その場合、第１スイッチング素子Ｑ１−第２４スイッチング素子Ｑ２４に寄生ダイオードは形成されず、第１スイッチング素子Ｑ１−第２４スイッチング素子Ｑ２４にそれぞれ外付けダイオードが逆並列に接続される。
【００２６】
第１出力回路１５の中点（具体的には、第１８スイッチング素子Ｑ１８と第１９スイッチング素子Ｑ１９との接続点）と、第２出力回路１６の中点（具体的には、第２２スイッチング素子Ｑ２２と第２３スイッチング素子Ｑ２３との接続点）から、マルチレベルの電圧（本実施の形態では５レベルの電圧）がフィルタ回路２０に出力される。レベル数が多いほど、より正規の正弦波に近い擬似正弦波となる。なお、本実施の形態では第１出力回路１５の中点からＵ相の電力を出力し、第２出力回路１６の中点からＷ相の電力を出力する。
【００２７】
フィルタ回路２０は、第１リアクトルＬ１、第２リアクトルＬ２及び出力コンデンサＣ７を含み、第１出力回路１５及び第２出力回路１６から出力される電圧及び電流の高調波成分を減衰させて、系統３の正弦波と同期した正弦波に近づける。
【００２８】
電流計測部５１は、電力変換装置１の出力電流Ｉｏｕｔを計測して制御回路３０に出力する。電流計測部５１は、例えばＣＴセンサで構成することができる。電圧計測部５２は、電力変換装置１の出力電圧Ｖｏｕｔを計測して制御回路３０に出力する。電圧計測部５２は、例えば抵抗分圧回路と差動アンプで構成することができる。
【００２９】
制御回路３０は、第１スイッチング素子Ｑ１−第２４スイッチング素子Ｑ２４のオン／オフを制御するための制御信号を駆動回路４０に供給する。駆動回路４０は、制御回路３０から供給される制御信号をもとに第１スイッチング素子Ｑ１−第２４スイッチング素子Ｑ２４を駆動する。
【００３０】
制御回路３０は、駆動回路４０に制御信号を供給することにより、インバータ回路１０に、直流電源２から供給される直流電力を交流電力に変換させる。また制御回路３０は、駆動回路４０に制御信号を供給することにより、インバータ回路１０に、系統３から供給される交流電力を直流電力に変換させる。制御回路３０は、ハードウェア資源とソフトウェア資源の協働、またはハードウェア資源のみにより実現できる。ハードウェア資源としてアナログ素子、マイクロコンピュータ、ＤＳＰ、ＲＯＭ、ＲＡＭ、ＦＰＧＡ、ＡＳＩＣ、ＦＰＧＡその他のＬＳＩを利用できる。ソフトウェア資源としてファームウェア等のプログラムを利用できる。
【００３１】
図２は、５レベル（＋Ｅ、＋１／２Ｅ、０、−１／２Ｅ、−Ｅ）の電圧で生成される擬似正弦波を示す図である。最初の区間では＋１／２Ｅと０を交互に出力し、その次の区間では＋Ｅと＋１／２Ｅを交互に出力し、その次の区間では＋１／２Ｅと０を交互に出力し、その次の区間では０と−１／２Ｅを交互に出力し、その次の区間では−１／２Ｅと−Ｅを交互に出力し、その次の区間では０と−１／２Ｅを交互に出力する。これにより、１周期の疑似正弦波が生成される。インバータ回路１０の出力電圧Ｖｉｎｖ（疑似正弦波）が高品位に生成されると、フィルタ回路２０を通過後の出力電流Ｉｏｕｔは滑らかな正弦波になる。
【００３２】
図３は、実施の形態に係る電力変換装置１における第１スイッチング素子Ｑ１−第２４スイッチング素子Ｑ２４のスイッチングパターンをまとめた図である。
【００３３】
図３に示すスイッチングパターンでは、第１スイッチング素子Ｑ１、第５スイッチング素子Ｑ５、第１２スイッチング素子Ｑ１２、第１６スイッチング素子Ｑ１６のグループと、第４スイッチング素子Ｑ４、第８スイッチング素子Ｑ８、第９スイッチング素子Ｑ９、第１３スイッチング素子Ｑ１３のグループが相補関係となる。第２スイッチング素子Ｑ２、第６スイッチング素子Ｑ６、第１１スイッチング素子Ｑ１１、第１５スイッチング素子Ｑ１５のグループと、第３スイッチング素子Ｑ３、第７スイッチング素子Ｑ７、第１０スイッチング素子Ｑ１０、第１４スイッチング素子Ｑ１４のグループが相補関係となる。
【００３４】
また、第１スイッチング素子Ｑ１、第５スイッチング素子Ｑ５、第１２スイッチング素子Ｑ１２、第１６スイッチング素子Ｑ１６のグループと、第２スイッチング素子Ｑ２、第６スイッチング素子Ｑ６、第１１スイッチング素子Ｑ１１、第１５スイッチング素子Ｑ１５のグループが半周期（１８０°）の位相差を持つ関係となる。第３スイッチング素子Ｑ３、第７スイッチング素子Ｑ７、第１０スイッチング素子Ｑ１０、第１４スイッチング素子Ｑ１４のグループと、第４スイッチング素子Ｑ４、第８スイッチング素子Ｑ８、第９スイッチング素子Ｑ９、第１３スイッチング素子Ｑ１３のグループが半周期の位相差を持つ関係となる。
【００３５】
また、第１７スイッチング素子Ｑ１７、第１８スイッチング素子Ｑ１８、第２３スイッチング素子Ｑ２３、第２４スイッチング素子Ｑ２４のグループは、基本波の正の半周期の期間に常時オンし、負の半周期の期間に常時オフする。第１９スイッチング素子Ｑ１９、第２０スイッチング素子Ｑ２０、第２１スイッチング素子Ｑ２１、第２２スイッチング素子Ｑ２２のグループは、基本波の負の半周期の期間に常時オンし、正の半周期の期間に常時オフする。日本では、基本波は５０Ｈｚ／６０Ｈｚの正弦波である。
【００３６】
図４（ａ）−（ｄ）は、図３に示すスイッチングパターンの正の半周期のスイッチングパターンを示す回路図である。図５（ａ）−（ｄ）は、図３に示すスイッチングパターンの負の半周期のスイッチングパターンを示す回路図である。なお、図面の簡略化のためＭＯＳＦＥＴを単純なスイッチ記号で描いている。
【００３７】
図４（ａ）に示すように、インバータ回路１０から＋０を出力する場合、制御回路３０は、第３スイッチング素子Ｑ３、第４スイッチング素子Ｑ４、第７スイッチング素子Ｑ７、第８スイッチング素子Ｑ８、第９スイッチング素子Ｑ９、第１０スイッチング素子Ｑ１０、第１３スイッチング素子Ｑ１３、第１４スイッチング素子Ｑ１４、第１７スイッチング素子Ｑ１７、第１８スイッチング素子Ｑ１８、第２３スイッチング素子Ｑ２３及び第２４スイッチング素子Ｑ２４をオン状態に制御し、第１スイッチング素子Ｑ１、第２スイッチング素子Ｑ２、第５スイッチング素子Ｑ５、第６スイッチング素子Ｑ６、第１１スイッチング素子Ｑ１１、第１２スイッチング素子Ｑ１２、第１５スイッチング素子Ｑ１５、第１６スイッチング素子Ｑ１６、第１９スイッチング素子Ｑ１９、第２０スイッチング素子Ｑ２０、第２１スイッチング素子Ｑ２１及び第２２スイッチング素子Ｑ２２をオフ状態に制御する。
【００３８】
図４（ｂ）に示すように、直流電源２から第１フライングキャパシタＣ１及び第４フライングキャパシタＣ４を充電しつつ、インバータ回路１０から＋１／２Ｅを出力する場合、制御回路３０は、第１スイッチング素子Ｑ１、第３スイッチング素子Ｑ３、第５スイッチング素子Ｑ５、第７スイッチング素子Ｑ７、第１０スイッチング素子Ｑ１０、第１２スイッチング素子Ｑ１２、第１４スイッチング素子Ｑ１４、第１６スイッチング素子Ｑ１６、第１７スイッチング素子Ｑ１７、第１８スイッチング素子Ｑ１８、第２３スイッチング素子Ｑ２３及び第２４スイッチング素子Ｑ２４をオン状態に制御し、第２スイッチング素子Ｑ２、第４スイッチング素子Ｑ４、第６スイッチング素子Ｑ６、第８スイッチング素子Ｑ８、第９スイッチング素子Ｑ９、第１１スイッチング素子Ｑ１１、第１３スイッチング素子Ｑ１３、第１５スイッチング素子Ｑ１５、第１９スイッチング素子Ｑ１９、第２０スイッチング素子Ｑ２０、第２１スイッチング素子Ｑ２１及び第２２スイッチング素子Ｑ２２をオフ状態に制御する。
【００３９】
図４（ｃ）に示すように、第１フライングキャパシタＣ１及び第４フライングキャパシタＣ４から交流経路に放電しつつ、インバータ回路１０から＋１／２Ｅを出力する場合、制御回路３０は、第２スイッチング素子Ｑ２、第４スイッチング素子Ｑ４、第６スイッチング素子Ｑ６、第８スイッチング素子Ｑ８、第９スイッチング素子Ｑ９、第１１スイッチング素子Ｑ１１、第１３スイッチング素子Ｑ１３、第１５スイッチング素子Ｑ１５、第１７スイッチング素子Ｑ１７、第１８スイッチング素子Ｑ１８、第２３スイッチング素子Ｑ２３及び第２４スイッチング素子Ｑ２４をオン状態に制御し、第１スイッチング素子Ｑ１、第３スイッチング素子Ｑ３、第５スイッチング素子Ｑ５、第７スイッチング素子Ｑ７、第１０スイッチング素子Ｑ１０、第１２スイッチング素子Ｑ１２、第１４スイッチング素子Ｑ１４、第１６スイッチング素子Ｑ１６、第１９スイッチング素子Ｑ１９、第２０スイッチング素子Ｑ２０、第２１スイッチング素子Ｑ２１及び第２２スイッチング素子Ｑ２２をオフ状態に制御する。
【００４０】
制御回路３０は、図４（ｂ）に示すスイッチングパターンと、図４（ｃ）に示すスイッチングパターンを交互に繰り返すことにより、インバータ回路１０から＋１／２Ｅを出力させることができる。
【００４１】
図４（ｄ）に示すように、インバータ回路１０から＋Ｅを出力する場合、制御回路３０は、第１スイッチング素子Ｑ１、第２スイッチング素子Ｑ２、第５スイッチング素子Ｑ５、第６スイッチング素子Ｑ６、第１１スイッチング素子Ｑ１１、第１２スイッチング素子Ｑ１２、第１５スイッチング素子Ｑ１５、第１６スイッチング素子Ｑ１６、第１７スイッチング素子Ｑ１７、第１８スイッチング素子Ｑ１８、第２３スイッチング素子Ｑ２３及び第２４スイッチング素子Ｑ２４をオン状態に制御し、第３スイッチング素子Ｑ３、第４スイッチング素子Ｑ４、第７スイッチング素子Ｑ７、第８スイッチング素子Ｑ８、第９スイッチング素子Ｑ９、第１０スイッチング素子Ｑ１０、第１３スイッチング素子Ｑ１３、第１４スイッチング素子Ｑ１４、第１９スイッチング素子Ｑ１９、第２０スイッチング素子Ｑ２０、第２１スイッチング素子Ｑ２１及び第２２スイッチング素子Ｑ２２をオフ状態に制御する。
【００４２】
図５（ａ）に示すように、インバータ回路１０から−０を出力する場合、制御回路３０は、第１スイッチング素子Ｑ１、第２スイッチング素子Ｑ２、第５スイッチング素子Ｑ５、第６スイッチング素子Ｑ６、第１１スイッチング素子Ｑ１１、第１２スイッチング素子Ｑ１２、第１５スイッチング素子Ｑ１５、第１６スイッチング素子Ｑ１６、第１９スイッチング素子Ｑ１９、第２０スイッチング素子Ｑ２０、第２１スイッチング素子Ｑ２１及び第２２スイッチング素子Ｑ２２をオン状態に制御し、第３スイッチング素子Ｑ３、第４スイッチング素子Ｑ４、第７スイッチング素子Ｑ７、第８スイッチング素子Ｑ８、第９スイッチング素子Ｑ９、第１０スイッチング素子Ｑ１０、第１３スイッチング素子Ｑ１３、第１４スイッチング素子Ｑ１４、第１７スイッチング素子Ｑ１７、第１８スイッチング素子Ｑ１８、第２３スイッチング素子Ｑ２３及び第２４スイッチング素子Ｑ２４をオフ状態に制御する。
【００４３】
図５（ｂ）に示すように、直流電源２から第２フライングキャパシタＣ２及び第３フライングキャパシタＣ３を充電しつつ、インバータ回路１０から−１／２Ｅを出力する場合、制御回路３０は、第２スイッチング素子Ｑ２、第４スイッチング素子Ｑ４、第６スイッチング素子Ｑ６、第８スイッチング素子Ｑ８、第９スイッチング素子Ｑ９、第１１スイッチング素子Ｑ１１、第１３スイッチング素子Ｑ１３、第１５スイッチング素子Ｑ１５、第１９スイッチング素子Ｑ１９、第２０スイッチング素子Ｑ２０、第２１スイッチング素子Ｑ２１及び第２２スイッチング素子Ｑ２２をオン状態に制御し、第１スイッチング素子Ｑ１、第３スイッチング素子Ｑ３、第５スイッチング素子Ｑ５、第７スイッチング素子Ｑ７、第１０スイッチング素子Ｑ１０、第１２スイッチング素子Ｑ１２、第１４スイッチング素子Ｑ１４、第１６スイッチング素子Ｑ１６、第１７スイッチング素子Ｑ１７、第１８スイッチング素子Ｑ１８、第２３スイッチング素子Ｑ２３及び第２４スイッチング素子Ｑ２４をオフ状態に制御する。
【００４４】
図５（ｃ）に示すように、第２フライングキャパシタＣ２及び第３フライングキャパシタＣ３から交流経路に放電しつつ、インバータ回路１０から−１／２Ｅを出力する場合、制御回路３０は、第１スイッチング素子Ｑ１、第３スイッチング素子Ｑ３、第５スイッチング素子Ｑ５、第７スイッチング素子Ｑ７、第１０スイッチング素子Ｑ１０、第１２スイッチング素子Ｑ１２、第１４スイッチング素子Ｑ１４、第１６スイッチング素子Ｑ１６、第１９スイッチング素子Ｑ１９、第２０スイッチング素子Ｑ２０、第２１スイッチング素子Ｑ２１及び第２２スイッチング素子Ｑ２２をオン状態に制御し、第２スイッチング素子Ｑ２、第４スイッチング素子Ｑ４、第６スイッチング素子Ｑ６、第８スイッチング素子Ｑ８、第９スイッチング素子Ｑ９、第１１スイッチング素子Ｑ１１、第１３スイッチング素子Ｑ１３、第１５スイッチング素子Ｑ１５、第１７スイッチング素子Ｑ１７、第１８スイッチング素子Ｑ１８、第２３スイッチング素子Ｑ２３及び第２４スイッチング素子Ｑ２４をオフ状態に制御する。
【００４５】
制御回路３０は、図５（ｂ）に示すスイッチングパターンと、図５（ｃ）に示すスイッチングパターンを交互に繰り返すことにより、インバータ回路１０から−１／２Ｅを出力させることができる。
【００４６】
図５（ｄ）に示すように、インバータ回路１０から−Ｅを出力する場合、制御回路３０は、第３スイッチング素子Ｑ３、第４スイッチング素子Ｑ４、第７スイッチング素子Ｑ７、第８スイッチング素子Ｑ８、第９スイッチング素子Ｑ９、第１０スイッチング素子Ｑ１０、第１３スイッチング素子Ｑ１３、第１４スイッチング素子Ｑ１４、第１９スイッチング素子Ｑ１９、第２０スイッチング素子Ｑ２０、第２１スイッチング素子Ｑ２１及び第２２スイッチング素子Ｑ２２をオン状態に制御し、第１スイッチング素子Ｑ１、第２スイッチング素子Ｑ２、第５スイッチング素子Ｑ５、第６スイッチング素子Ｑ６、第１１スイッチング素子Ｑ１１、第１２スイッチング素子Ｑ１２、第１５スイッチング素子Ｑ１５、第１６スイッチング素子Ｑ１６、第１７スイッチング素子Ｑ１７、第１８スイッチング素子Ｑ１８、第２３スイッチング素子Ｑ２３及び第２４スイッチング素子Ｑ２４をオフ状態に制御する。
【００４７】
図１に示した回路トポロジにおいて、第１スイッチング素子Ｑ１−第２４スイッチング素子Ｑ２４の耐圧は、インバータ回路１０の絶対最大定格電圧の１／４に設計される。本実施の形態では絶対最大定格電圧は、６００Ｖに設定されている。それを前提に本実施の形態では、第１スイッチング素子Ｑ１−第２４スイッチング素子Ｑ２４に、１５０Ｖ耐圧のＭＯＳＦＥＴを使用している。１５０Ｖ耐圧のＭＯＳＦＥＴは比較的低コストで容易に入手することが可能である。
【００４８】
図１に示した回路トポロジにおいて、スイッチング素子の導通損失を減らすために、各スイッチング素子を並列化することが考えられる。
【００４９】
図６は、実施の形態に係る電力変換装置１の第１構成例を説明するための図である。図６に示す第１構成例は、図１に示した基本構成に係る電力変換装置１の各スイッチング素子Ｑ１−Ｑ２４を、それぞれ３並列化した構成である。以下、並列化された３つのスイッチング素子（本実施の形態では、３つのＮチャネルＭＯＳＦＥＴ）のグループをスイッチ部と呼ぶ。なお、並列数は３に限定されるものではない。２でもよいし、４以上でもよい。並列数を増やすほど１つのスイッチング素子に流れる電流が減り、スイッチ部の導通損失を減らすことができる。一方、並列数を増やすほどコストと回路面積が増大する。また駆動回路４０の動作により消費される電力損失が増大する。
【００５０】
図７は、図６の電力変換装置１で使用される駆動回路４０の一例を説明するための図である。図７に示す例は、第１スイッチ部（Ｑ１）の第１−１スイッチング素子Ｑ１ａ、第１−２スイッチング素子Ｑ１ｂ及び第１−３スイッチング素子Ｑ１ｃを駆動するための駆動回路４０の構成例を示している。第１スイッチ部（Ｑ１）は図１、図６の第１スイッチング素子Ｑ１に相当する。
【００５１】
駆動回路４０は、第１スイッチ部（Ｑ１）を駆動するための構成要素として、第１−１ゲート駆動部４１ａ、第１−２ゲート駆動部４１ｂ及び第１−３ゲート駆動部４１ｃを備える。第１−１ゲート駆動部４１ａは、制御回路３０から供給される第１−１スイッチング素子Ｑ１ａの制御信号をもとに、第１−１スイッチング素子Ｑ１ａの駆動信号を生成する。
【００５２】
第１−１ゲート駆動部４１ａの正側電源端子は正側基準電位線に接続され、図示しない正バイアス用電源により生成される正バイアス電圧＋Ｖｇが入力される。第１−１ゲート駆動部４１ａの負側電源端子は負側基準電位線に接続され、図示しない負バイアス用電源により生成される負バイアス電圧−Ｖｇが入力される。
【００５３】
正バイアス用電源は、第１−１スイッチング素子Ｑ１ａのソース電位に対して所定の電圧分、高い正バイアス電圧を生成する電源である。負バイアス用電源は、第１−１スイッチング素子Ｑ１ａのソース電位に対して所定の電圧分、低い負バイアス電圧を生成する電源である。正バイアス電圧＋Ｖｇは第１−１スイッチング素子Ｑ１ａをオンするための電圧であり、負バイアス電圧−Ｖｇは第１−１スイッチング素子Ｑ１ａをオフするための電圧である。例えば、正バイアス電圧＋Ｖｇ＝＋２０Ｖ、負バイアス電圧：−Ｖｇ＝−５Ｖに設定される。
【００５４】
第１−１ゲート駆動部４１ａの入力端子は制御回路３０に接続され、第１−１ゲート駆動部４１ａの出力端子は、第１−１スイッチング素子Ｑ１ａのゲート端子に接続される。
【００５５】
第１−１ゲート駆動部４１ａは、正側基準電位線と負側基準電位線との間に直列に接続された充電用スイッチング素子と放電用スイッチング素子を含む。充電用スイッチング素子と放電用スイッチング素子の接続点は、第１−１スイッチング素子Ｑ１ａのゲート端子に接続される。例えば、充電用スイッチング素子をＰチャネルＭＯＳＦＥＴ、放電用スイッチング素子をＮチャネルＭＯＳＦＥＴで構成することができる。
【００５６】
第１−１ゲート駆動部４１ａは、制御回路３０から制御信号（例えば、ＰＷＭ信号）が入力される。制御信号がハイレベルのとき、第１−１ゲート駆動部４１ａは、充電用スイッチング素子のゲート端子と放電用スイッチング素子のゲート端子に正バイアス電圧＋Ｖｇを供給する。これにより充電用スイッチング素子がオン、放電用スイッチング素子がオフし、第１−１スイッチング素子Ｑ１ａのゲートに電荷が充電され、第１−１スイッチング素子Ｑ１ａがオンする。制御信号がローレベルのとき、第１−１ゲート駆動部４１ａは、充電用スイッチング素子のゲート端子と放電用スイッチング素子のゲート端子に負バイアス電圧−Ｖｇを供給する。これにより充電用スイッチング素子がオフ、放電用スイッチング素子がオンし、第１−１スイッチング素子Ｑ１ａのゲートから電荷が放電され、第１−１スイッチング素子Ｑ１ａがオフする。
【００５７】
第１−２ゲート駆動部４１ｂと第１−２スイッチング素子Ｑ１ｂとの関係、及び第１−３ゲート駆動部４１ｃと第１−３スイッチング素子Ｑ１ｃとの関係も、第１−１ゲート駆動部４１ａと第１−１スイッチング素子Ｑ１ａとの関係と同様である。
【００５８】
第１−２ゲート駆動部４１ｂと制御回路３０との間に第１−２停止回路３１ｂが挿入される。第１−２停止回路３１ｂは、第１−２スイッチング素子Ｑ１ｂのスイッチング制御を停止させることができる。第１−２停止回路３１ｂは例えば、制御回路３０からのモード切替信号に応じて、出力を切り替える論理回路で構成することができる。制御回路３０からのモード切替信号が運転モードを示す信号のとき、当該論理回路は、制御回路３０から入力されるＰＷＭ信号をそのまま第１−２ゲート駆動部４１ｂに出力する。制御回路３０からのモード切替信号が停止モードを示す信号のとき、当該論理回路は、ローレベル信号を第１−２ゲート駆動部４１ｂに出力し続ける。
【００５９】
当該論理回路の出力により、運転モードのとき、第１−２スイッチング素子Ｑ１ｂは第１−１スイッチング素子Ｑ１ａと同じオン／オフ動作になる。停止モードのとき、第１−２スイッチング素子Ｑ１ｂは、第１−１スイッチング素子Ｑ１ａのオン／オフ動作に関わらず、オフ状態を維持する。また停止モードのとき、第１−２ゲート駆動部４１ｂ内の充電用スイッチング素子はオフ状態を維持し、放電用スイッチング素子はオン状態を維持する。
【００６０】
なお、第１−２停止回路３１ｂは論理回路ではなく、制御回路３０から入力されるＰＷＭ信号とローレベル信号を、モード切替信号に応じて選択的に切り替えるスイッチで構成されてもよい。
【００６１】
第１−３ゲート駆動部４１ｃと制御回路３０との間に第１−３停止回路３１ｃが挿入される。第１−３停止回路３１ｃは第１−２停止回路３１ｂと同様に構成される。なお、第１−１ゲート駆動部４１ａと制御回路３０との間にも停止回路を挿入してもよいが、第１−１スイッチング素子Ｑ１ａには停止モードを設ける必要がないため、省略可能である。このように各スイッチ部に含まれる並列接続された複数のスイッチング素子の内、１つのスイッチング素子のゲート駆動部と制御回路３０との間の停止回路は省略可能である。
【００６２】
制御回路３０は、電力変換装置１の出力電流又は出力電力に応じて、各スイッチ部（Ｑ１−Ｑ２４）の導通時に、導通させるスイッチング素子の数を変更する。具体的には制御回路３０は、電力変換装置１全体の電力損失が最小になるように、各スイッチ部（Ｑ１−Ｑ２４）の導通時に、導通させるスイッチング素子の数を変更する。図７に示した例では、導通させるスイッチング素子の数を１、２、３の間で切り替える。
【００６３】
電力変換装置１の電力損失は、インバータ回路１０において電力変換時に発生する損失（以下、電力変換損失という）、駆動回路４０の動作により消費される電力損失（以下、駆動電源損失いう）、及び制御回路３０の動作により消費される電力損失（以下、制御電源損失という）の合計で表すことができる。
【００６４】
本実施の形態ではインバータ回路１０の動作電圧は３００Ｖ以上、駆動回路４０の動作電圧は１５〜２０Ｖ（図７で説明した例では、２０Ｖ）、制御回路３０の動作電圧は３〜５Ｖである。従って基本的に、制御電源損失＜駆動電源損失＜電力変換損失の関係になる。
【００６５】
電力変換損失は、電力変換装置１が電力を供給する負荷の変動に大きく依存する。負荷の変動により各スイッチ部（Ｑ１−Ｑ２４）に流れる電流も変化するが、各スイッチ部（Ｑ１−Ｑ２４）に流れる電流が大きいほど、各スイッチ部（Ｑ１−Ｑ２４）の導通損失が大きくなる。上述したように、１つのスイッチ部を構成するスイッチング素子の並列数を増やすことにより、各スイッチ部（Ｑ１−Ｑ２４）の導通損失を減らすことができる。
【００６６】
しかしながら、１つのスイッチ部を構成するスイッチング素子の並列数を増やすと、図７に示したようにゲート駆動部の数が多くなり、ゲート駆動部における電力損失が大きくなる。即ち、駆動電源損失が大きくなる。駆動電源損失を減らすには、運転するゲート駆動部の数を減らせばよく、そのためには、１つのスイッチ部を構成する複数のスイッチング素子の内、運転するスイッチング素子の数を減らせばよい。しかしながら、運転するスイッチング素子の数を減らすと、スイッチ部の導通損失を減らす効果が減殺される。このように１つのスイッチ部を複数のスイッチング素子で並列化した構成では、運転するスイッチング素子の数を増やすほど、駆動電源損失が増大する関係になる。
【００６７】
制御回路３０の消費電力は、１つのスイッチ部を構成する複数のスイッチング素子の運転数に対し、基本的に影響を受けない。当該複数のスイッチング素子の運転数に関わらず、制御回路３０から駆動回路４０に供給される制御信号（例えば、ＰＷＭ信号）は同じものになる。また、制御回路３０の動作電圧は低く、制御回路３０内で流れる電流も小さい。従って、制御回路３０の消費電力の変動は、無視できる程度のものである。
【００６８】
以下、制御電源損失は、当該複数のスイッチング素子の運転数に関わらず、損失が実質的に変動しない固定損失として取り扱う。一方、駆動電源損失および電力変換損失は、当該複数のスイッチング素子の運転数に応じて変動する変動損失として取り扱う。
【００６９】
制御回路３０は、電力変換装置１の出力電流又は出力電力が大きいほど、各スイッチ部（Ｑ１−Ｑ２４）の導通時に、導通させるスイッチング素子の数を増やすように制御する。以下、具体例を挙げて説明する。
【００７０】
図８は、電力変換装置１の出力電力が５５００Ｗのときの電力変換装置１の電力損失のシミュレーション結果を示す図である。１つのスイッチ部を構成する複数のスイッチング素子の運転数が１の場合（１並列）、制御電源損失が７Ｗ、駆動電源損失が２．７Ｗ、電力変換損失が５２．９Ｗで、トータル損失は６２．６Ｗとなる。当該複数のスイッチング素子の運転数が２の場合（２並列）、制御電源損失が７Ｗ、駆動電源損失が５．３Ｗ、電力変換損失が４１．９Ｗで、トータル損失が５４．２Ｗとなる。当該複数のスイッチング素子の運転数が３の場合（３並列）、制御電源損失が７Ｗ、駆動電源損失が８．０Ｗ、電力変換損失が３６．７Ｗで、トータル損失が５１．７Ｗとなる。
【００７１】
図９は、電力変換装置１の出力電力が２７５０Ｗのときの電力変換装置１の電力損失のシミュレーション結果を示す図である。１つのスイッチ部を構成する複数のスイッチング素子の運転数が１の場合（１並列）、制御電源損失が７Ｗ、駆動電源損失が２．７Ｗ、電力変換損失が１５．６Ｗで、トータル損失は２５．３Ｗとなる。当該複数のスイッチング素子の運転数が２の場合（２並列）、制御電源損失が７Ｗ、駆動電源損失が５．３Ｗ、電力変換損失が９．３Ｗで、トータル損失が２１．６Ｗとなる。当該複数のスイッチング素子の運転数が３の場合（３並列）、制御電源損失が７Ｗ、駆動電源損失が８．０Ｗ、電力変換損失が７．２Ｗで、トータル損失が２２．２Ｗとなる。
【００７２】
図１０は、電力変換装置１の出力電力が１１００Ｗのときの電力変換装置１の電力損失のシミュレーション結果を示す図である。１つのスイッチ部を構成する複数のスイッチング素子の運転数が１の場合（１並列）、制御電源損失が７Ｗ、駆動電源損失が２．７Ｗ、電力変換損失が４．１Ｗで、トータル損失は１３．８Ｗとなる。当該複数のスイッチング素子の運転数が２の場合（２並列）、制御電源損失が７Ｗ、駆動電源損失が５．３Ｗ、電力変換損失が２．８Ｗで、トータル損失が１５．１Ｗとなる。当該複数のスイッチング素子の運転数が３の場合（３並列）、制御電源損失が７Ｗ、駆動電源損失が８．０Ｗ、電力変換損失が２．３Ｗで、トータル損失が１７．３Ｗとなる。
【００７３】
以上のシミュレーション結果は、出力電力が５５００Ｗのときは３並列が最も損失が少なく、２７５０Ｗのときは２並列が最も損失が少なく、１１００Ｗのときは１並列が最も損失が少ないことを示している。即ち、低出力域ほど並列数を少なくし、高出力域ほど並列数を増やす制御が有効であることを示している。
【００７４】
図１１は、ある電力変換装置１における出力電力と、並列数と、変換効率の関係を示した図である。図１１では、１つのスイッチ部を構成する複数のスイッチング素子の運転数が２の場合（２並列）と、当該複数のスイッチング素子の運転数が３の場合（３並列）における、ある電力変換装置１の出力電力と変換効率の関係を示している。図１１の例では、出力電力が約３３６０Ｗ以上の領域では３並列のほうが効率が高くなり、約３３６０Ｗ未満の領域では２並列のほうが効率が高くなることを示している。
【００７５】
図１１には示していないが、１並列と２並列との間でも、ある閾値を境に２並列のほうが効率が高くなる領域と、１並列のほうが効率が高くなる領域に分けられる。以下、１並列と２並列の境となる値を第１閾値、２並列と３並列の境となる値を第２閾値という。なお並列数が４以上の場合、閾値の数はさらに多くなる。一般化すると、閾値の数は（並列数−１）となる。
【００７６】
設計者は、実験やシミュレーションの結果をもとに各閾値を決定し、制御回路３０内の不揮発メモリに予め登録しておく。閾値は出力電力値で規定されてもよいし、出力電流値で規定されてもよい。後者は、電力変換装置１の出力電圧を系統電圧と等しいとみなして、予め出力電力値を出力電流値に換算したものを閾値として使用する例である。
【００７７】
閾値に出力電流値が使用される場合、制御回路３０は、電流計測部５１により計測された出力電流値と各閾値を比較して並列数を決定する。閾値に出力電力値が使用される場合、制御回路３０は、電流計測部５１により計測された出力電流値と、電圧計測部５２により計測された出力電圧値を掛け合わせて出力電力値を算出し、当該出力電力値と各閾値を比較して並列数を決定する。
【００７８】
図１２は、実施の形態に係る電力変換装置１の第１構成例における制御回路３０の並列数切替処理の動作を示すフローチャートである。電力変換装置１の稼働中（Ｓ１０の稼働）、制御回路３０は、電流計測部５１により計測された電力変換装置１の出力電流値Ｉｏｕｔを取得する（Ｓ１１）。制御回路３０は、出力電流値Ｉｏｕｔと第２閾値Ｔｈ２を比較する（Ｓ１２）。出力電流値Ｉｏｕｔが第２閾値Ｔｈ２以上のとき（Ｓ１２のＹ）、制御回路３０は、１つのスイッチ部を構成する３つのスイッチング素子の内、運転させる並列数を３に切り替える（Ｓ１６）。
【００７９】
出力電流値Ｉｏｕｔが第２閾値Ｔｈ２未満のとき（Ｓ１２のＮ）、制御回路３０は、出力電流値Ｉｏｕｔと第１閾値Ｔｈ１を比較する（Ｓ１３）。出力電流値Ｉｏｕｔが第１閾値Ｔｈ１未満のとき（Ｓ１３のＮ）、制御回路３０は、１つのスイッチ部を構成する３つのスイッチング素子の内、運転させる並列数を１に切り替える（Ｓ１４）。出力電流値Ｉｏｕｔが第１閾値Ｔｈ１以上、第２閾値Ｔｈ２未満のとき（Ｓ１３のＹ）、制御回路３０は、１つのスイッチ部を構成する３つのスイッチング素子の内、運転させる並列数を２に切り替える（Ｓ１５）。
【００８０】
制御回路３０は、ステップＳ１１からステップＳ１６の処理を、電力変換装置１が停止するまで（Ｓ１０の停止）繰り返し実行する。即ち、制御回路３０は、負荷変動に応じて並列数を適応的に切り替える。
【００８１】
以上説明したように構成例１によれば、電力変換装置１の出力電流又は出力電力に応じて、制御電源損失、駆動電源損失、電力変換損失を合計したトータル損失が最小になるように、１つのスイッチ部を構成する複数のスイッチング素子の内、運転させる並列数を切り替える。これにより、電力損失の削減効果を最適化することができ、電力変換装置１を高効率化することができる。
【００８２】
図１３（ａ）、（ｂ）は、実施の形態に係る電力変換装置１の第２構成例を説明するための図である。図１３（ａ）は第２−１構成例を、図１３（ｂ）は第２−２構成例を説明するための図である。
【００８３】
図１３（ａ）に示す第２−１構成例は、図１に示した基本構成に係る電力変換装置１の極性切替部に含まれる各スイッチング素子Ｑ１７−Ｑ２４をそれぞれ３並列化し、マルチレベル出力部に含まれる各スイッチング素子Ｑ１−Ｑ１６をそれぞれ２並列化した構成である。図１３（ｂ）に示す第２−２構成例は、図１に示した基本構成に係る電力変換装置１の極性切替部に含まれる各スイッチング素子Ｑ１７−Ｑ２４をそれぞれ３並列化し、マルチレベル出力部に含まれる各スイッチング素子Ｑ１−Ｑ１６を並列化しない構成である。
【００８４】
極性切替部に含まれる各スイッチ部（Ｑ１７−Ｑ２４）のスイッチング速度は、マルチレベル出力部に含まれる各スイッチ部（Ｑ１−Ｑ１６）のスイッチング速度と比較して、低速である（上記図２、図３参照）。例えば、極性切替部に含まれる各スイッチ部（Ｑ１７−Ｑ２４）は６０Ｈｚで動作し、マルチレベル出力部に含まれる各スイッチ部（Ｑ１−Ｑ１６）は３０ｋＨｚで動作する。
【００８５】
一般的に、駆動回路の消費エネルギーＥは、下記（式１）で表される。
Ｅ＝（１／２）ＣＶ２ｆ  ・・・（式１）
【００８６】
極性切替部に含まれる各スイッチ部（Ｑ１７−Ｑ２４）を駆動するゲート駆動部と、マルチレベル出力部に含まれる各スイッチ部（Ｑ１−Ｑ１６）を駆動するゲート駆動部の消費エネルギーを比較すると、前者のほうが周波数ｆが大幅に低いため、前者の消費エネルギーのほうが大幅に小さくなる。
【００８７】
従って、極性切替部に含まれる各スイッチ部（Ｑ１７−Ｑ２４）は、並列数を増やしても、各スイッチ部（Ｑ１７−Ｑ２４）に含まれる複数のスイッチング素子を駆動するゲート駆動部の消費電力の増加は僅かなものとなる。よって、極性切替部に含まれる各スイッチ部（Ｑ１７−Ｑ２４）は損失低減の観点からは、並列数を増やすほど有利となる。
【００８８】
一方、マルチレベル出力部に含まれる各スイッチ部（Ｑ１−Ｑ１６）は、上述したように、運転するスイッチング素子の数を増やすほど駆動電源損失が増大する関係になるため、並列数を増やすほど損失が低減されるとは限らない。
【００８９】
そこで構成例２では、損失低減に有利な極性切替部に含まれる各スイッチ部（Ｑ１７−Ｑ２４）の並列化を優先し、マルチレベル出力部に含まれる各スイッチ部（Ｑ１−Ｑ１６）の並列化を劣後させている。即ち、極性切替部に含まれる各スイッチ部（Ｑ１７−Ｑ２４）を構成するスイッチング素子の並列数が、マルチレベル出力部に含まれる各スイッチ部（Ｑ１−Ｑ１６）を構成するスイッチング素子の並列数より多くなるように設計している。従って図６に示した構成例１と比較して、トータルのスイッチング素子の数を減らすことができる。それに伴い、スイッチング素子を駆動するゲート駆動部の数も減らすことができる。よって、構成例１と比較して、コスト及び回路面積を削減することができる。
【００９０】
構成例２−１のマルチレベル出力部に含まれる各スイッチ部（Ｑ１−Ｑ１６）の制御において、上述した並列数の切替制御を適用してもよい。制御回路３０は、電力変換装置１の出力電流又は出力電力に応じて、マルチレベル出力部に含まれる各スイッチ部（Ｑ１−Ｑ１６）の導通時に、導通させるスイッチング素子の数を変更する。制御回路３０は、電力変換装置１の出力電流又は出力電力が大きいほど、マルチレベル出力部に含まれる各スイッチ部（Ｑ１−Ｑ１６）の導通時に、導通させるスイッチング素子の数を増やすように制御する。制御回路３０は、電力変換装置１の出力電流又は出力電力に関わらず、極性切替部に含まれる各スイッチ部（Ｑ１７−Ｑ２４）の導通時に、並列化されているスイッチング素子の全て（図１３（ａ）の例では３つ）を導通させる。
【００９１】
以上説明したように構成例２によれば、コスト及び回路面積の増大を抑制しつつ、電力変換装置１を高効率化することができる。
【００９２】
以上、本発明を実施の形態をもとに説明した。実施の形態は例示であり、それらの各構成要素や各処理プロセスの組み合わせにいろいろな変形例が可能なこと、またそうした変形例も本発明の範囲にあることは当業者に理解されるところである。
【００９３】
例えば、図６に示した構成例１において、並列数の切替制御をマルチレベル出力部のみに適用してもよい。制御回路３０は、電力変換装置１の出力電流又は出力電力に応じて、マルチレベル出力部に含まれる各スイッチ部（Ｑ１−Ｑ１６）の導通時に、導通させるスイッチング素子の数を変更する。制御回路３０は、電力変換装置１の出力電流又は出力電力に関わらず、極性切替部に含まれる各スイッチ部（Ｑ１７−Ｑ２４）の導通時に、並列化されているスイッチング素子の全て（図６の例では３つ）を導通させる。この場合、効率の低下を最小限に抑えつつ、極性切替部に含まれる各スイッチ部（Ｑ１７−Ｑ２４）の駆動に関する回路構成を簡素化することができる。
【００９４】
上述の実施の形態では、５レベル出力のマルチレベル電力変換装置を説明したが、７レベル以上を出力するマルチレベル電力変換装置にも本発明を適用可能である。マルチレベル出力部は、１つのフライングキャパシタと４つのスイッチング素子を持つグループ（上述したフライングキャパシタ回路）が３つ以上直列に接続されたレグを有する。単相の場合は２つのレグを、三相の場合は３つのレグを有する。２つ又は３つのレグは、直流電源２の両端間に並列に接続される。
【００９５】
なお、実施の形態は、以下の項目によって特定されてもよい。
【００９６】
［項目１］
直流電圧をもとに擬似正弦波を生成するインバータ回路（１０）と、
前記インバータ回路（１０）に含まれる複数のスイッチング素子を駆動する駆動回路（４０）と、
前記駆動回路（４０）に制御信号を供給する制御回路（３０）と、を備え、
前記インバータ回路（１０）は、
複数のフライングキャパシタ回路（１１−１４）を含み、５レベル以上の電位をそれぞれ２点から出力可能なマルチレベル出力部（１１−１４）と、
前記マルチレベル出力部（１１−１４）の２点間に流れる電流の向きを制御する極性切替部（１５、１６）と、を含み、
前記極性切替部（１５、１６）に含まれる各スイッチ部（Ｑ１７−Ｑ２４）は、複数のスイッチング素子が並列化されて構成されており、
前記マルチレベル出力部（１１−１４）に含まれる各スイッチ部（Ｑ１−Ｑ１６）は、１つのスイッチング素子、又は前記極性切替部（１５、１６）に含まれる各スイッチ部（Ｑ１７−Ｑ２４）を構成するスイッチング素子の並列数より少ない並列数のスイッチング素子で構成されていることを特徴とする電力変換装置（１）。
これによれば、コスト及び回路面積の増大を抑制しつつ、電力変換装置（１）を高効率化することができる。
［項目２］
本電力変換装置（１）の出力電流または出力電力を計測する計測部（５１、５２）をさらに備え、
前記マルチレベル出力部（１１−１４）に含まれる各スイッチ部（Ｑ１−Ｑ１６）は、前記極性切替部（１５、１６）に含まれる各スイッチ部（Ｑ１７−Ｑ２４）を構成するスイッチング素子の並列数より少ない並列数のスイッチング素子で構成されており、
前記制御回路（３０）は、前記計測部（５１、５２）により計測された出力電流または出力電力に応じて、前記マルチレベル出力部（１１−１４）に含まれる各スイッチ部（Ｑ１−Ｑ１６）の導通時に、導通させるスイッチング素子の数を変更し、
前記制御回路（３０）は、前記極性切替部（１５、１６）に含まれる各スイッチ部（Ｑ１７−Ｑ２４）の導通時に、並列化されているスイッチング素子の全てを導通させることを特徴とする項目１に記載の電力変換装置（１）。
これによれば、マルチレベル出力部（１１−１４）に含まれる各スイッチ部（Ｑ１−Ｑ１６）の電力変換損失と、マルチレベル出力部（１１−１４）に含まれる各スイッチ部（Ｑ１−Ｑ１６）の駆動電源損失の合計を最小化することができる。また、極性切替部（１５、１６）に含まれる各スイッチ部（Ｑ１７−Ｑ２４）の制御を簡素化することができる。
［項目３］
直流電圧をもとに擬似正弦波を生成するインバータ回路（１０）と、
前記インバータ回路（１０）に含まれる複数のスイッチング素子を駆動する駆動回路（４０）と、
前記駆動回路（４０）に制御信号を供給する制御回路（３０）と、
本電力変換装置（１）の出力電流または出力電力を計測する計測部（５１、５２）と、を備え、
前記インバータ回路（１０）は、
複数のフライングキャパシタ回路（１１−１４）を含み、５レベル以上の電位をそれぞれ２点から出力可能なマルチレベル出力部（１１−１４）と、
前記マルチレベル出力部（１１−１４）の２点間に流れる電流の向きを制御する極性切替部（１５、１６）と、を含み、
前記マルチレベル出力部（１１−１４）および前記極性切替部（１５、１６）に含まれる各スイッチ部（Ｑ１７−Ｑ２４）は、複数のスイッチング素子が並列化されて構成されており、
前記制御回路（３０）は、前記計測部（５１、５２）により計測された出力電流または出力電力に応じて、各スイッチ部（Ｑ１−Ｑ２４）の導通時に、導通させるスイッチング素子の数を変更することを特徴とする電力変換装置（１）。
これによれば、電力変換装置（１）を高効率化することができる。
［項目４］
前記制御回路（３０）は、前記計測部（５１、５２）により計測された出力電流または出力電力が大きいほど、各スイッチ部（Ｑ１−Ｑ２４）の導通時に、導通させるスイッチング素子の数を増やすことを特徴とする項目３に記載の電力変換装置（１）。
これによれば、各スイッチ部（Ｑ１−Ｑ２４）の電力変換損失と、各スイッチ部（Ｑ１−Ｑ２４）の駆動電源損失の合計を最小化することができる。
［項目５］
前記制御回路（３０）は、前記計測部（５１、５２）により計測された出力電流または出力電力に応じて、前記マルチレベル出力部（１１−１４）に含まれる各スイッチ部（Ｑ１−Ｑ１６）の導通時に、導通させるスイッチング素子の数を変更し、
前記制御回路（３０）は、前記極性切替部（１５、１６）に含まれる各スイッチ部（Ｑ１７−Ｑ２４）の導通時に、並列化されているスイッチング素子の全てを導通させることを特徴とする項目４に記載の電力変換装置（１）。
これによれば、マルチレベル出力部（１１−１４）に含まれる各スイッチ部（Ｑ１−Ｑ１６）の電力変換損失と、マルチレベル出力部（１１−１４）に含まれる各スイッチ部（Ｑ１−Ｑ１６）の駆動電源損失の合計を最小化することができる。また、極性切替部（１５、１６）に含まれる各スイッチ部（Ｑ１７−Ｑ２４）の制御を簡素化することができる。
［項目６］
前記マルチレベル出力部（１１−１４）は、
直列に接続される第１スイッチ部（Ｑ１）、第２スイッチ部（Ｑ２）、第３スイッチ部（Ｑ３）及び第４スイッチ部（Ｑ４）と、前記第１スイッチ部（Ｑ１）と前記第２スイッチ部（Ｑ２）の接続点と前記第３スイッチ部（Ｑ３）と前記第４スイッチ部（Ｑ４）の接続点との間に接続された第１フライングキャパシタ（Ｃ１）を有する第１フライングキャパシタ回路（１１）と、
直列に接続される第５スイッチ部（Ｑ５）、第６スイッチ部（Ｑ６）、第７スイッチ部（Ｑ７）及び第８スイッチ部（Ｑ８）と、前記第５スイッチ部（Ｑ５）と前記第６スイッチ部（Ｑ６）の接続点と前記第７スイッチ部（Ｑ７）と前記第８スイッチ部（Ｑ８）の接続点との間に接続された第２フライングキャパシタ（Ｃ２）を有する第２フライングキャパシタ回路（１２）と、
直列に接続される第９スイッチ部（Ｑ９）、第１０スイッチ部（Ｑ１０）、第１１スイッチ部（Ｑ１１）及び第１２スイッチ部（Ｑ１２）と、前記第９スイッチ部（Ｑ９）と前記第１０スイッチ部（Ｑ１０）の接続点と前記第１１スイッチ部（Ｑ１１）と前記第１２スイッチ部（Ｑ１２）の接続点との間に接続された第３フライングキャパシタ（Ｃ３）を有する第３フライングキャパシタ回路（１３）と、
直列に接続される第１３スイッチ部（Ｑ１３）、第１４スイッチ部（Ｑ１４）、第１５スイッチ部（Ｑ１５）及び第１６スイッチ部（Ｑ１６）と、前記第１３スイッチ部（Ｑ１３）と前記第１４スイッチ部（Ｑ１４）の接続点と前記第１５スイッチ部（Ｑ１５）と前記第１６スイッチ部（Ｑ１６）の接続点との間に接続された第４フライングキャパシタ（Ｃ４）を有する第４フライングキャパシタ回路（１４）と、を含み、
前記極性切替部（１５、１６）は、
前記第１フライングキャパシタ回路（１１）の中点と前記第２フライングキャパシタ回路（１２）の中点との間に直列に接続される第１７スイッチ部（Ｑ１７）、第１８スイッチ部（Ｑ１８）、第１９スイッチ部（Ｑ１９）及び第２０スイッチ部（Ｑ２０）を有し、前記第１８スイッチ部（Ｑ１８）と前記第１９スイッチ部（Ｑ１９）との間の接続点が、系統電源（３）／交流負荷に接続された交流経路の一端に接続される第１出力回路（１５）と、
前記第３フライングキャパシタ回路（１３）の中点と前記第４フライングキャパシタ回路（１４）の中点との間に直列に接続される第２０スイッチ部（Ｑ２０）、第２１スイッチ部（Ｑ２１）、第２２スイッチ部（Ｑ２２）及び第２３スイッチ部（Ｑ２３）を有し、前記第２１スイッチ部（Ｑ２１）と前記第２２スイッチ部（Ｑ２２）との間の接続点が、前記交流経路の他端に接続される第２出力回路（１６）と、を含み、
前記第１フライングキャパシタ回路（１１）及び前記第２フライングキャパシタ回路（１２）は直流電源（２）の両端間に直列に接続され、
前記第３フライングキャパシタ回路（１３）及び前記第４フライングキャパシタ回路（１４）は前記直流電源（２）の両端間に直列に接続され、
前記第１フライングキャパシタ回路（１１）と前記第２フライングキャパシタ回路（１２）との接続点と、前記第３フライングキャパシタ回路（１３）と前記第４フライングキャパシタ回路（１４）との接続点との間が中間配線で接続されることを特徴とする項目１から５のいずれか１項に記載の電力変換装置（１）。
これによれば、５レベル出力の電力変換装置（１）において、高効率化することができる。
【符号の説明】
【００９７】
１  電力変換装置、  ２  直流電源、  ３  系統、  １０  インバータ回路、  １１−１４  フライングキャパシタ回路、  １５  第１出力回路、  １６  第２出力回路、  ２０  フィルタ回路、  ３０  制御回路、  ３１ｂ  第１−２停止回路、  ３１ｃ  第１−３停止回路、  ４０  駆動回路、  ４１ａ  第１−１ゲート駆動部、  ４１ｂ  第１−２ゲート駆動部、  ４１ｃ  第１−３ゲート駆動部、  ５１  電流計測部、  ５２  電圧計測部、  Ｑ１−Ｑ２４  スイッチング素子、  Ｑ１ａ  第１−１スイッチング素子、  Ｑ１ｂ  第１−２スイッチング素子、  Ｑ１ｃ  第１−３スイッチング素子、  Ｄ１−Ｄ２４  ダイオード、  Ｃ１−Ｃ４  フライングキャパシタ、  Ｃ５，Ｃ６  分割コンデンサ、  Ｃ７  出力コンデンサ、  Ｌ１，Ｌ２  リアクトル。
【図１】
2020137135.tif 000003
【図２】
2020137135.tif 000004
【図３】
2020137135.tif 000005
【図４】
2020137135.tif 000006
【図５】
2020137135.tif 000007
【図６】
2020137135.tif 000008
【図７】
2020137135.tif 000009
【図８】
2020137135.tif 000010
【図９】
2020137135.tif 000011
【図１０】
2020137135.tif 000012
【図１１】
2020137135.tif 000013
【図１２】
2020137135.tif 000014
【図１３】
2020137135.tif 000015